(57)【要約】【課題】転動体を転動体転動溝のリード角に沿ってその接線方向に案内するリターン案内路を有する一対のデフレクタピースと、これらデフレクタピースのリターン案内路を相互に接続するリターン案内路接続体とで転動体戻し部材を構成し、かつナットの外面に一対のデフレクタピース組込み穴を設けたねじ送り装置において、デフレクタピースの振動に起因する作動性の低下を防止することができるねじ送り装置を提供する。【解決手段】デフレクタピースの横断面とほぼ同じ大きさの合せ面２５ａを有する一対のデフレクタピース当接部２５，２５をリターン案内路接続体１７２に設け、デフレクタピース当接部２５の合せ面２５ａをデフレクタピース組込み穴に組み込まれたデフレクタピースの上端面に押し当てた構成とする。【選択図】　図５
2004019861.tif 000002
【特許請求の範囲】
【請求項１】
外周面に螺旋状の転動体転動溝を有するねじ軸と、前記転動体転動溝に対向する螺旋状の転動体転動溝を内周面に有すると共に転動体戻し部材取付面を外周面に有するナットと、前記ねじ軸の転動体転動溝と前記ナットの転動体転動溝との間に形成された転動体転動路を転動する多数の転動体と、これらの転動体を初期位置に戻すための転動体戻し路を有する転動体戻し部材とを備えてなり、前記転動体を前記転動体転動溝のリード角に沿ってその接線方向に案内するリターン案内路を有する一対のデフレクタピースと、これらデフレクタピースの前記リターン案内路を相互に接続するリターン案内路接続体とで前記転動体戻し部材を構成し、かつ前記ナットの外面に一対のデフレクタピース組込み穴を設けたねじ送り装置において、
前記デフレクタピースの横断面とほぼ同じ大きさの合せ面を有する一対のデフレクタピース当接部を前記リターン案内路接続体に設け、前記デフレクタピース当接部の合せ面と前記デフレクタピース組込み穴に組み込まれたデフレクタピースの上端面とを合わせたことを特徴とするねじ送り装置。
【請求項２】
前記デフレクタピースは突合せ面を有する一対のデフレクタピース構成部材からなり、該デフレクタピース構成部材は前記リターン案内路を形成するための溝部を前記突合せ面に有することを特徴とする請求項１記載のねじ送り装置。
【請求項３】
前記一対のデフレクタピース構成部材のうち一方のデフレクタピース構成部材の突合せ面に位置決め突起を設けるとともに、該位置決め突起に嵌合する位置決め穴を他方のデフレクタピース構成部材の突合せ面に設けたことを特徴とする請求項２記載のねじ送り装置。
【請求項４】
前記リターン案内路接続体は突合せ面を有する一対の接続体構成部材からなり、該接続体構成部材は前記転動体戻し路を形成するための溝部を前記突合せ面に有することを特徴とする請求項１または２記載のねじ送り装置。
【請求項５】
前記一対の接続体構成部材のうち一方の接続体構成部材の突合せ面に位置決め突起を設けるとともに、該位置決め突起に嵌合する位置決め穴を他方の接続体構成部材の突合せ面に設けたことを特徴とする請求項４記載のねじ送り装置。
【請求項６】
前記デフレクタピースは突合せ面を有する一対のデフレクタピース構成部材からなり、該デフレクタピース構成部材は前記リターン案内路を形成するための溝部を前記突合せ面に有し、前記リターン案内路接続体は突合せ面を有する一対の接続体構成部材からなり、該接続体構成部材は前記転動体戻し路を形成するための溝部を前記突合せ面に有し、前記デフレクタピース構成部材および前記接続体構成部材は一体に形成されていることを特徴とする請求項１記載のねじ送り装置。
【請求項７】
前記デフレクタピースおよび前記リターン案内路接続体のうち少なくとも一方を樹脂にて形成したことを特徴とする請求項１乃至６のいずれか１項記載のねじ送り装置。
【請求項８】
前記デフレクタピースおよび前記リターン案内路接続体のうち少なくとも一方を焼結材にて形成したことを特徴とする請求項１乃至６のいずれか１項記載のねじ送り装置。
【発明の詳細な説明】
【０００１】
【発明の属する技術分野】
本発明は、工作機械等においてモータの回転運動を直線運動に変換する手段として用いられるボールねじ等のねじ送り装置に関する。
【０００２】
【従来の技術】
従来、この種のねじ送り装置は、ねじ軸と、このねじ軸の外周に遊嵌するナットとを備えており、ねじ軸またはナットのいずれか一方が回転するとナットに組み込まれた多数の球状転動体がねじ軸の外周面とナットの内周面に相対向して形成された螺旋状の転動体転動溝間を転動するようになっている。そして、ねじ軸とナットの両転動体転動溝間を転動した転動体は、リターンチューブ等の転動体戻し部材内に形成された転動体戻し路を転動して初期位置に戻されるようになっている。
【０００３】
このようなねじ送り装置は、ねじ軸とナットの両転動体転動溝間を転動する転動体を転動体戻し部材に設けられたタング部に衝突させて転動体戻し路にすくい上げているため、騒音や振動等が発生するなどの問題がある。そこで、このような問題を解消するために、転動体を転動体転動溝のリード角に沿ってその接線方向に案内するリターン案内路を有する一対のデフレクタピースと、これらデフレクタピースのリターン案内路を相互に接続するリターン案内路接続体とで転動体戻し部材を構成したものが特開平１１−５１０４９号公報に開示されている。
【０００４】
このようなねじ送り装置によると、ねじ軸とナットの両転動体転動溝間を転動した転動体はデフレクタピースのリターン案内路により転動体転動溝のリード角に沿ってその接線方向に案内されるため、タング部が不要となり、騒音や振動等の発生を防止することができる。
【０００５】
【発明が解決しようとする課題】
しかしながら、上述したねじ送り装置では、管状に形成されたリターン案内路接続体の端面をデフレクタピースの上端面に押し当ててデフレクタピースをナットのデフレクタピース組込み穴に固定している。このため、ナットに衝撃力が加わると不安定な固定なため、デフレクタピースが振動し、ねじ送り装置の作動性が損なわれることがあった。
【０００６】
そこで本発明は、このような問題点に着目してなされたものであり、デフレクタピースの振動に起因する作動性の低下を防止することができるねじ送り装置を提供することを目的とする。
【０００７】
【課題を解決するための手段】
上記目的を達成するために、本発明は、外周面に螺旋状の転動体転動溝を有するねじ軸と、前記転動体転動溝に対向する螺旋状の転動体転動溝を内周面に有すると共に転動体戻し部材取付面を外周面に有するナットと、前記ねじ軸の転動体転動溝と前記ナットの転動体転動溝との間に形成された転動体転動路を転動する多数の転動体と、これらの転動体を初期位置に戻すための転動体戻し路を有する転動体戻し部材とを備えてなり、前記転動体を前記転動体転動溝のリード角に沿ってその接線方向に案内するリターン案内路を有する一対のデフレクタピースと、これらデフレクタピースの前記リターン案内路を相互に接続するリターン案内路接続体とで前記転動体戻し部材を構成し、かつ前記ナットの外面に一対のデフレクタピース組込み穴を設けたねじ送り装置において、前記デフレクタピースの横断面とほぼ同じ大きさの合せ面を有する一対のデフレクタピース当接部を前記リターン案内路接続体に設け、前記デフレクタピース当接部の合せ面と前記デフレクタピース組込み穴に組み込まれたデフレクタピースの上端面とを合わせたことを特徴とする。
【０００８】
このような構成によると、ナットに衝撃力が作用してもデフレクタピースが振動するようなことがないので、デフレクタピースの振動に起因するねじ送り装置の作動性の低下を防止することができる。
この場合、請求項２記載の発明のように、前記デフレクタピースは突合せ面を有する一対のデフレクタピース構成部材からなり、該デフレクタピース構成部材は前記リターン案内路を形成するための溝部を前記突合せ面に有する構成であってもよく、このような構成とすることにより、デフレクタピースの内部にリターン案内路を容易に形成することができる。さらに、請求項３記載の発明のように、一対のデフレクタピース構成部材のうち一方のデフレクタピース構成部材の突合せ面に位置決め突起を設けるとともに、該位置決め突起に嵌合する位置決め穴を他方のデフレクタピース構成部材の突合せ面に設けることにより、デフレクタピース構成部材同士の位置ずれを防止することができる。
【０００９】
また、請求項４記載の発明のように、リターン案内路接続体は突合せ面を有する一対の接続体構成部材からなり、該接続体構成部材は前記転動体戻し路路を形成するための溝部を前記突合せ面に有する構成であってもよく、このような構成とすることにより、リターン案内路接続体の内部に転動体戻し路を容易に形成することができる。さらに、請求項５記載の発明のように、一対の接続体構成部材のうち一方の接続体構成部材の突合せ面に位置決め突起を設けるとともに、該位置決め突起に嵌合する位置決め穴を他方の接続体構成部材の突合せ面に設けることにより、接続体構成部材同士の位置ずれを防止することができる。
【００１０】
また、請求項６記載の発明のように、前記デフレクタピースは突合せ面を有する一対のデフレクタピース構成部材からなり、該デフレクタピース構成部材は前記リターン案内路を形成するための溝部を前記突合せ面に有し、前記リターン案内路接続体は突合せ面を有する一対の接続体構成部材からなり、該接続体構成部材は前記転動体戻し路を形成するための溝部を前記突合せ面に有し、前記デフレクタピース構成部材および前記接続体構成部材は一体に形成されている構成であってもよく、このような構成とすることにより、デフレクタピースの内部にリターン案内路を容易に形成できるとともに、リターン案内路接続体の内部に転動体戻し路を容易に形成することができ、また部品点数を減らし、製作コストを下げることができる。
【００１１】
また、請求項７記載の発明のように、デフレクタピースおよびリターン案内路接続体のうち少なくとも一方を樹脂で形成することにより、デフレクタピースおよびリターン案内路接続体を金属で形成したものに比べて騒音や振動等を低減することができる。さらに、請求項８記載の発明のように、デフレクタピースおよびリターン案内路接続体のうち少なくとも一方を焼結材で形成することにより、ナットの比重バランスを調整可能となる。特に、ナットの高速回転時の回転バランスを調整可能となる。
【００１２】
【発明の実施の形態】
以下、図面を参照して、本発明の実施の形態について詳細に説明する。
図１乃至図６は本発明の第１の実施形態を示す図で、図１は本発明の第１の実施形態に係るねじ送り装置の平面図、図２は図１のＩＩ−ＩＩ線に沿う断面図である。これらの図に示すように、本発明の第１の実施形態に係るねじ送り装置１０は、ねじ軸１１と、このねじ軸１１の外周に遊嵌する円筒状のナット１２とを備えており、ねじ軸１１の外周面には螺旋状の転動体転動溝１３が形成されている。
この転動体転動溝１３はナット１２の内周面に形成された螺旋状の転動体転動溝１４（図２参照）と対向しており、ねじ軸１１またはナット１２のいずれか一方が回転するとナット１２に組み込まれた多数の球状転動体１５が上記転動体転動溝１３，１４間に形成された螺旋状の転動体転動路を転動するようになっている。
【００１３】
また、ねじ送り装置１０は転動体１５を初期位置に戻すための転動体戻し部材１７を備えており、ナット１２の外周面には、転動体戻し部材１７を取付ネジ１８，１９によりナット１２に固定するための転動体戻し部材取付面２０が形成されている。
図３は図２のＩＩＩ−ＩＩＩ線に沿う断面図であり、同図に示すように、転動体戻し部材１７は、転動体１５を転動体転動溝１３，１４のリード角に沿ってその接線方向に案内するリターン案内路１７１ａを有する一対のデフレクタピース１７１，１７１と、これらデフレクタピース１７１のリターン案内路１７１ａを相互に接続するリターン案内路接続体１７２とから構成されている。
【００１４】
リターン案内路接続体１７２はデフレクタピース１７１のリターン案内路１７１ａに連通する転動体戻し路１７２ａ（図２及び図３参照）を有しており、一方のデフレクタピース１７１のリターン案内路１７１ａに進入した転動体１５は上記転動体戻し路１７２ａを転動して初期位置に戻されるようになっている。また、リターン案内路接続体１７２はブロック状に形成されている。
【００１５】
デフレクタピース１７１はナット１２内に組み込まれており、ナット１２の転動体戻し部材取付面２０には、デフレクタピース１７１をナット１２内に組み込むためのデフレクタピース組込み穴２１（図２参照）がデフレクタピース１７１に対応して設けられている。
図４はデフレクタピース１７１の横断面図であり、同図に示すように、デフレクタピース１７１は、樹脂材あるいは焼結金属からなる一対のデフレクタピース構成部材２３，２３から形成されている。これらのデフレクタピース構成部材２３は突合せ面２３ａをそれぞれ有しており、各突合せ面２３ａには、リターン案内路１７１ａを形成するための溝部２４が設けられている。また、図示を省略したが、一方のデフレクタピース構成部材２３の突合せ面２３ａには位置決め突起が設けられ、他方のデフレクタピース構成部材２３の突合せ面２３ａには、上記位置決め突起に嵌合する位置決め穴が設けられている。
【００１６】
図５はリターン案内路接続体１７２の正面図、図６はリターン案内路接続体１７２の底面図であり、これらの図に示すように、ブロック状に形成されたリターン案内路接続体１７２には、一対のデフレクタピース当接部２５，２５が設けられている。これらのデフレクタピース当接部２５はデフレクタピース１７１の横断面とほぼ同じ大きさの合せ面２５ａを有しており、各デフレクタピース当接部２５の合せ面２５ａはナット１２のデフレクタピース組込み穴２１に組み込まれたデフレクタピース１７１の上端面に押し当てられている。
【００１７】
このように、デフレクタピース１７１の横断面とほぼ同じ大きさの合せ面２５ａを有する一対のデフレクタピース当接部２５，２５をリターン案内路接続体１７２に設け、これらデフレクタピース当接部２５の合せ面２５ａをデフレクタピース組込み穴２１に組み込まれたデフレクタピース１７１の上端面に押し当てると、デフレクタピース１７１がデフレクタピース組込み穴２１の底面部に強固に押し付けられることになる。これにより、ナット１２に衝撃力が作用してもデフレクタピース１７１がデフレクタピース組込み穴２１から飛び出るようなことがないので、デフレクタピース組込み穴２１からのデフレクタピース１７１の飛び出しに起因するねじ送り装置の送り機能の低下を防止することができる。
【００１８】
また、上述した第１の実施形態にように、突合せ面２３ａをそれぞれ有する一対のデフレクタピース構成部材２３，２３でデフレクタピース１７１を構成し、各デフレクタピース構成部材２３の突合せ面２３ａにリターン案内路形成用の溝部２４を設けることにより、転動体１５を転動体転動溝１３，１４のリード角に沿ってその接線方向に案内するリターン案内路１７１ａをデフレクタピース１７１内に容易に形成することができる。
【００１９】
図７乃至図１２は本発明の第２の実施形態を示す図で、図７は本発明の第２の実施形態に係るねじ送り装置の平面図、図８は同実施形態に係るねじ送り装置の軸方向に沿う断面図である。これらの図に示すように、本発明の第２の実施形態に係るねじ送り装置３０は、ねじ軸１１と、このねじ軸１１の外周に遊嵌する円筒状のナット１２とを備えており、ねじ軸１１の外周面には螺旋状の転動体転動溝１３が形成されている。この転動体転動溝１３はナット１２の内周面に形成された螺旋状の転動体転動溝１４（図８参照）と対向しており、ねじ軸１１またはナット１２のいずれか一方が回転するとナット１２に組み込まれた多数の球状転動体１５が上記転動体転動溝１３，１４間に形成された螺旋状の転動体転動路を転動するようになっている。
【００２０】
また、ねじ送り装置３０は転動体１５を初期位置に戻すための転動体戻し部材３１を備えており、ナット１２の外周面には、転動体戻し部材３１を取付ネジ１８，１９によりナット１２に固定するための転動体戻し部材取付面２０が形成されている。
図９は図７のＩＸ−ＩＸ線に沿う断面図であり、同図に示すように、転動体戻し部材３１は、転動体１５を転動体転動溝１３，１４のリード角に沿ってその接線方向に案内するリターン案内路３１１ａ（図８参照）を有する一対のデフレクタピース３１１，３１１と、これらデフレクタピース３１１のリターン案内路３１１ａを相互に接続するリターン案内路接続体３１２とから構成されている。
【００２１】
リターン案内路接続体３１２はデフレクタピース３１１のリターン案内路３１１ａに連通する転動体戻し路３１２ａを有しており、一方のデフレクタピース３１１のリターン案内路３１１ａに進入した転動体１５は上記転動体戻し路３１２ａを転動して初期位置に戻されるようになっている。また、リターン案内路接続体３１２はブロック状に形成されている。
【００２２】
デフレクタピース３１１はナット１２内に組み込まれており、ナット１２の転動体戻し部材取付面２０には、デフレクタピース３１１をナット１２内に組み込むためのデフレクタピース組込み穴２１（図９参照）がデフレクタピース３１１に対応して設けられている。また、デフレクタピース３１１は、第１の実施形態と同様に、樹脂材あるいは焼結金属からなる一対のデフレクタピース構成部材２３，２３（図４参照）から形成されている。これらのデフレクタピース構成部材２３は突合せ面２３ａをそれぞれ有しており、各突合せ面２３ａには、リターン案内路１７１ａを形成するための溝部２４が設けられている。さらに、図示を省略したが、一方のデフレクタピース構成部材２３の突合せ面２３ａには位置決め突起が設けられ、他方のデフレクタピース構成部材２３の突合せ面２３ａには、上記位置決め突起に嵌合する位置決め穴が設けられている。
【００２３】
図１０はリターン案内路接続体３１２の平面図であり、同図に示すように、リターン案内路接続体３１２は、樹脂または焼結金属等からなる一対の接続体構成部材３２，３２から構成されている。これらの接続体構成部材３２は突合せ面３２ａをそれぞれ有しており、各突合せ面３２ａには、転動体戻し路３１２ａを形成するための溝部３３（図１２参照）が相対向して設けられている。また、一方の接続体構成部材３２の突合せ面３２ａには位置合せ用の突起部が設けられ、他方の接続体構成部材３２の突合せ面３２ａには上記突起部に嵌合する位置合せ用の穴部が設けられている。
【００２４】
図１１はリターン案内路接続体３１２の側面図、図１２はリターン案内路接続体３１２の底面図であり、これらの図に示すように、ブロック状に形成されたリターン案内路接続体３１２には、一対のデフレクタピース当接部３４，３４が設けられている。これらのデフレクタピース当接部３４はデフレクタピース３１１の横断面とほぼ同じ大きさの合せ面３４ａを有しており、各デフレクタピース当接部３４の合せ面３４ａはナット１２のデフレクタピース組込み穴２１に組み込まれたデフレクタピース３１１の上端面に押し当てられている。また、一方のデフレクタピース当接部３４の合せ面３４ａには、デフレクタピース３１１の上端面に形成された位置決め穴（図示せず）に嵌合する位置決め突起３５（図１１参照）が設けられている。
【００２５】
図１３は接続体構成部材３２の平面図、図１４は接続体構成部材３２の側面図であり、これらの図に示すように、リターン案内路接続体３１２を構成する一対の接続体構成部材３２，３２のうち一方の接続体構成部材３２の突合せ面３２ａには位置決め突起３６と位置決め穴３７が設けられ、他方の接続体構成部材３２の突合せ面３２ａには上記位置決め突起３６に嵌合する位置決め穴と位置決め穴３７に嵌合する位置決め突起が設けられている。
【００２６】
上述のように、デフレクタピース３１１の横断面とほぼ同じ大きさの合せ面３４ａを有する一対のデフレクタピース当接部３４，３４をリターン案内路接続体３１２に設け、これらデフレクタピース当接部３４の合せ面３４ａをデフレクタピース組込み穴２１に組み込まれたデフレクタピース３１１の上端面に押し当てると、デフレクタピース３１１がデフレクタピース組込み穴２１の底面部に強固に押し付けられることになる。これにより、ナット１２に衝撃力が作用してもデフレクタピース３１１がデフレクタピース組込み穴２１から飛び出るようなことがないので、デフレクタピース組込み穴２１からのデフレクタピース３１１の飛び出しに起因するねじ送り装置の送り機能の低下を防止することができる。
【００２７】
また、上述した第２の実施形態にように、突合せ面３２ａをそれぞれ有する一対の接続体構成部材３２，３２でリターン案内路接続体３１２を構成し、各接続体構成部材３２，３２の突合せ面３２ａに転動体戻し路形成用の溝部３４を設けることにより、転動体戻し路３１２ａをリターン案内路接続体３１２内に容易に形成することができる。
【００２８】
さらに、上述した第２の実施形態にように、デフレクタピース３１１の上端面に形成された位置決め穴に嵌合する位置決め突起３５をデフレクタピース当接部３４の合せ面３４ａに設けることにより、リターン案内路３１１ａと転動体戻し路３１２ａとの位置ずれを防止することができる。
また、上述した第２の実施形態にように、リターン案内路接続体３１２を構成する一対の接続体構成部材３２，３２のうち一方の接続体構成部材３２の突合せ面３２ａに位置決め突起３６を設け、他方の接続体構成部材３２の突合せ面３２ａに上記位置決め突起３６に嵌合する位置決め穴を設けることにより、接続体構成部材３２の位置ずれを防止することができる。
【００２９】
図１５乃至図２１は本発明の第３の実施形態を示す図で、図１５は本発明の第３の実施形態に係るねじ送り装置の平面図、図１６は同実施形態に係るねじ送り装置の軸方向に沿う断面図である。これらの図に示すように、本発明の第３の実施形態に係るねじ送り装置４０は、ねじ軸１１と、このねじ軸１１の外周に遊嵌する円筒状のナット１２とを備えており、ねじ軸１１の外周面には螺旋状の転動体転動溝１３が形成されている。この転動体転動溝１３はナット１２の内周面に形成された螺旋状の転動体転動溝１４（図１６参照）と対向しており、ねじ軸１１またはナット１２のいずれか一方が回転するとナット１２に組み込まれた多数の球状転動体１５が上記転動体転動溝１３，１４間に形成された螺旋状の転動体転動路を転動するようになっている。
【００３０】
また、ねじ送り装置４０は転動体１５を初期位置に戻すための転動体戻し部材４１を備えており、ナット１２の外周面には、転動体戻し部材３１を取付ネジ１８，１９によりナット１２に固定するための転動体戻し部材取付面２０が形成されている。
図１７は図１５のＸＶＩＩ−ＸＶＩＩ線に沿う断面図であり、同図に示すように、転動体戻し部材４１は、転動体１５を転動体転動溝１３，１４のリード角に沿ってその接線方向に案内するリターン案内路４１１ａ（図１６参照）を有する一対のデフレクタピース４１１，４１１と、これらデフレクタピース４１１のリターン案内路４１１ａを相互に接続するリターン案内路接続体４１２とから構成されている。
【００３１】
リターン案内路接続体４１２はデフレクタピース４１１のリターン案内路４１１ａに連通する転動体戻し路４１２ａを有しており、一方のデフレクタピース４１１のリターン案内路４１１ａに進入した転動体１５は上記転動体戻し路４１２ａを転動して初期位置に戻されるようになっている。また、リターン案内路接続体４１２はブロック状に形成されている。
【００３２】
デフレクタピース４１１は、リターン案内路接続体４１２と一体に形成されている。また、デフレクタピース４１１はナット１２内に組み込まれており、ナット１２の転動体戻し部材取付面２０には、デフレクタピース４１１をナット１２内に組み込むためのデフレクタピース組込み穴２１がデフレクタピース４１１に対応して設けられている。
【００３３】
図１８はリターン案内路接続体４１２の平面図、図１９はリターン案内路接続体４１２の底面図であり、同図に示すように、リターン案内路接続体４１２は、樹脂または焼結金属等からなる一対の接続体構成部材４３，４３から構成されている。これらの接続体構成部材４３は突合せ面４３ａをそれぞれ有しており、各突合せ面４３ａには、転動体戻し路４１２ａを形成するための溝部４４（図２１参照）が相対向して設けられている。
【００３４】
図２０は接続体構成部材４３の平面図、図２１は接続体構成部材４３の側面図であり、これらの図に示すように、リターン案内路接続体４１２を構成する一対の接続体構成部材４３，４３のうち一方の接続体構成部材４３の突合せ面４３ａには位置決め突起４５と位置決め穴４６が設けられ、他方の接続体構成部材４３の突合せ面４３ａには上記位置決め突起４５に嵌合する位置決め穴と位置決め穴４６に嵌合する位置決め突起が設けられている。
【００３５】
上述のように、デフレクタピース４１１をリターン案内路接続体４１２と一体に形成すると、デフレクタピース４１１がデフレクタピース組込み穴２１の底面部に強固に押し付けられることになる。これにより、ナット１２に衝撃力が作用してもデフレクタピース４１１がデフレクタピース組込み穴２１から飛び出るようなことがないので、デフレクタピース組込み穴２１からのデフレクタピース４１１の飛び出しに起因するねじ送り装置の送り機能の低下を防止することができる。
【００３６】
また、上述した第３の実施形態にように、突合せ面４２ａをそれぞれ有する一対の接続体構成部材４２，４２でリターン案内路接続体４１２を構成し、各接続体構成部材４２，４２の突合せ面４２ａに転動体戻し路形成用の溝部４４を設けることにより、転動体戻し路４１２ａをリターン案内路接続体４１２内に容易に形成することができる。
【００３７】
さらに、上述した第３の実施形態にように、リターン案内路接続体４１２を構成する一対の接続体構成部材４３，４３のうち一方の接続体構成部材４３の突合せ面４３ａに位置決め突起４５を設け、他方の接続体構成部材４３の突合せ面４３ａに上記位置決め突起４５に嵌合する位置決め穴４６を設けることにより、接続体構成部材４３の位置ずれを防止することができる。
【００３８】
なお、本発明は上述した実施形態に限定されるものではない。たとえば、上述した各実施形態ではデフレクタピースおよびリターン案内路接続体を樹脂にて形成したが、これに限定されるものではなく、例えばデフレクタピースおよびリターン案内路接続体を焼結金属にて形成してもよい。また、上述した第３の実施形態では、デフレクタピースの振動に起因する作動性の低下を防止するために、デフレクタピース４１１をリターン案内路接続体４１２と一体に形成したが、例えばデフレクタピースの上端面とリターン案内路接続体の合せ面とを接着、溶着（溶接）、ハンダ付け、ろう付け等で接合してデフレクタピース４１１とリターン案内路接続体４１２とを一体化しても同様の効果を得ることができる。また、上述した各実施形態では本発明をボールねじ装置に適用した場合を例示したが、ローラねじ装置にも本発明を適用できることは勿論である。
【００３９】
【発明の効果】
以上説明したように、請求項１の発明によれば、ナットに衝撃力が作用してもデフレクタピースが振動するようなことがないので、デフレクタピースの振動に起因するねじ送り装置の作動性の低下を防止することができる。
請求項２の発明によれば、上述した効果に加え、デフレクタピースの内部にリターン案内路を容易に形成することができる。
【００４０】
請求項３の発明によれば、上述した効果に加え、デフレクタピース構成部材同士の位置ずれを防止することができる。
請求項４の発明によれば、上述した効果に加え、リターン案内路接続体の内部に転動体戻し路を容易に形成することができる。
請求項５の発明によれば、上述した効果に加え、接続体構成部材同士の位置ずれを防止することができる。
【００４１】
請求項６の発明によれば、デフレクタピースの振動に起因するねじ送り装置の作動性の低下を防止でき、かつデフレクタピースの内部にリターン案内路を容易に形成できるとともに、リターン案内路接続体の内部に転動体戻し路を容易に形成することができる。
請求項７の発明によれば、デフレクタピースおよびリターン案内路接続体を金属で形成したものに比べて騒音や振動等を低減することができる。
請求項８の発明によれば、ナットの比重バランスを調整可能となる。特に、ナットの高速回転時の回転バランスを調整可能となる。
【図面の簡単な説明】
【図１】本発明の第１の実施形態に係るねじ送り装置の平面図である。
【図２】図１のＩＩ−ＩＩ線に沿う断面図である。
【図３】図２のＩＩＩ−ＩＩＩ線に沿う断面図である。
【図４】図２に示すデフレクタピースの横断面図である。
【図５】図３に示すリターン案内路接続体の正面図である。
【図６】図３に示すリターン案内路接続体の底面図である。
【図７】本発明の第２の実施形態に係るねじ送り装置の平面図である。
【図８】本発明の第２の実施形態に係るねじ送り装置の軸方向に沿う断面図である。
【図９】図７のＩＸ−ＩＸ線に沿う断面図である。
【図１０】図８に示すリターン案内路接続体の平面図である。
【図１１】図８に示すリターン案内路接続体の側面図である。
【図１２】図８に示すリターン案内路接続体の底面図である。
【図１３】図１０に示す接続体構成部材の平面図である。
【図１４】図１０に示す接続体構成部材の側面である。
【図１５】本発明の第３の実施形態に係るねじ送り装置の平面図である。
【図１６】本発明の第３の実施形態に係るねじ送り装置の軸方向に沿う断面図である。
【図１７】図１５のＸＶＩＩ−ＸＶＩＩ線に沿う断面図である。
【図１８】図１７に示すリターン案内路接続体の平面図である。
【図１９】図１７に示すリターン案内路接続体の底面図である。
【図２０】図１８に示す接続体構成部材の平面図である。
【図２１】図１８に示す接続体構成部材の側面図である。
【符号の説明】
１０，３０，４０　　ねじ送り装置
１１　　ねじ軸
１２　　ナット
１３，１４　　転動体転動溝
１５　　転動体
１７，３１　　転動体戻し部材
１７１，３１１，４１１　　デフレクタピース
１７１ａ，３１１ａ，４１１ａ　　リターン案内路
１７２，３１２，４１２　　リターン案内路接続体
１７２ａ，３１２ａ，４１２ａ　　転動体戻し路
１８，１９　　取付ネジ
２０　　転動体戻し部材取付面
２１　　デフレクタピース組込み穴
２３　　デフレクタピース構成部材
２３ａ　　突合せ面
２４　　溝部
２５，３４　　デフレクタピース当接部
２５ａ，３４ａ　　合せ面
３２，４３　　接続体構成部材
３２ａ，４３ａ　　突合せ面
３３，４４　　溝部
３５，３６，４５　　位置決め突起
３７，４６　　位置決め穴
【図１】
2004019861.tif 000003
【図２】
2004019861.tif 000004
【図３】
2004019861.tif 000005
【図４】
2004019861.tif 000006
【図５】
2004019861.tif 000007
【図６】
2004019861.tif 000008
【図７】
2004019861.tif 000009
【図８】
2004019861.tif 000010
【図９】
2004019861.tif 000011
【図１０】
2004019861.tif 000012
【図１１】
2004019861.tif 000013
【図１２】
2004019861.tif 000014
【図１３】
2004019861.tif 000015
【図１４】
2004019861.tif 000016
【図１５】
2004019861.tif 000017
【図１６】
2004019861.tif 000018
【図１７】
2004019861.tif 000019
【図１８】
2004019861.tif 000020
【図１９】
2004019861.tif 000021
【図２０】
2004019861.tif 000022
【図２１】
2004019861.tif 000023